(57)【特許請求の範囲】
【請求項１】
反射型または半透過型のパネル部と、
前記パネル部上に設けられた光拡散層と
を備え、
前記光拡散層は、前記パネル部で反射され下面側から入射する外光のうち、特定の方位から特定の範囲の角度で入射する成分の光を強く拡散し、それ以外の成分の光を弱く拡散する異方性拡散層が積層されて成り、
前記光拡散層の最下層に配置され、入射角がψ１の成分の光を最も強く拡散する第１光拡散層と、
前記光拡散層の最上層に配置され、入射角がψ２（ψ２＜ψ１）の成分の光を最も強く拡散する第２光拡散層と、
前記第１光拡散層と前記第２光拡散層との間の中間層に配置され、入射角がψ３（ψ１＜ψ３）の成分の光を最も強く拡散する第３光拡散層と、から構成され、
前記第１光拡散層、前記第２光拡散層および前記第３光拡散層の拡散中心軸の正射影は、互いに略同一の方向を向いている
表示パネル。
【請求項２】
反射型または半透過型のパネル部と、
前記パネル部上に設けられた光拡散層と
を備え、
前記光拡散層は、前記パネル部で反射され下面側から入射する外光のうち、特定の方位から特定の範囲の角度で入射する成分の光を強く拡散し、それ以外の成分の光を弱く拡散する異方性拡散層が積層されて成り、
前記光拡散層の最下層に配置され、入射角がψ１の成分の光を最も強く拡散する第１光拡散層の領域と、入射角がψ３（ψ１＜ψ３）の成分の光を最も強く拡散する第３光拡散層の領域とが形成される光拡散層と、
前記光拡散層の最上層に配置され、入射角がψ２（ψ２＜ψ１）の成分の光を最も強く拡散する第２光拡散層と、から構成され、
前記第１光拡散層、前記第２光拡散層および前記第３光拡散層の拡散中心軸の正射影は、互いに略同一の方向を向いている
表示パネル。
【請求項３】
反射型または半透過型のパネル部と、
前記パネル部上に設けられた光拡散層と
を備え、
前記光拡散層は、前記パネル部で反射され下面側から入射する外光のうち、特定の方位から特定の範囲の角度で入射する成分の光を強く拡散し、それ以外の成分の光を弱く拡散する異方性拡散層が積層されて成り、
前記光拡散層の最下層に配置され、入射角がψ１の成分の光を最も強く拡散する第１光拡散層と、
前記光拡散層の最上層に配置され、入射角がψ２（ψ２＜ψ１）の成分の光を最も強く拡散する第２光拡散層の領域と、入射角がψ３（ψ１＜ψ３）の成分の光を最も強く拡散する第３光拡散層の領域とが形成される光拡散層と、から構成され、
前記第１光拡散層、前記第２光拡散層および前記第３光拡散層の拡散中心軸の正射影は、互いに略同一の方向を向いている
表示パネル。
【請求項４】
前記第１光拡散層は、前記パネル部に対して接着剤で貼り合わされている
請求項１乃至３に記載の表示パネル。
【請求項５】
複数の画素が２次元配置された表示パネルと、
映像信号に基づいて各画素を駆動する駆動部と
を備え、
前記表示パネルは、
反射型または半透過型のパネル部と、
前記パネル部上に設けられた光拡散層と
を有し、
前記光拡散層は、前記パネル部で反射され下面側から入射する外光のうち、特定の方位から特定の範囲の角度で入射する成分の光を強く拡散し、それ以外の成分の光を弱く拡散する異方性拡散層が積層されて成り、
前記光拡散層の最下層に配置され、入射角がψ１の成分の光を最も強く拡散する第１光拡散層と、
前記光拡散層の最上層に配置され、入射角がψ２（ψ２＜ψ１）の成分の光を最も強く拡散する第２光拡散層と、
前記第１光拡散層と前記第２光拡散層との間の中間層に配置され、入射角がψ３（ψ１＜ψ３）の成分の光を最も強く拡散する第３光拡散層と、から構成され、
前記第１光拡散層、前記第２光拡散層および前記第３光拡散層の拡散中心軸の正射影は、互いに略同一の方向を向いている
表示装置。
【請求項６】
複数の画素が２次元配置された表示パネルと、
映像信号に基づいて各画素を駆動する駆動部と
を備え、
前記表示パネルは、
反射型または半透過型のパネル部と、
前記パネル部上に設けられた光拡散層と
を有し、
前記光拡散層は、前記パネル部で反射され下面側から入射する外光のうち、特定の方位から特定の範囲の角度で入射する成分の光を強く拡散し、それ以外の成分の光を弱く拡散する異方性拡散層が積層されて成り、
前記光拡散層の最下層に配置され、入射角がψ１の成分の光を最も強く拡散する第１光拡散層の領域と、入射角がψ３（ψ１＜ψ３）の成分の光を最も強く拡散する第３光拡散層の領域とが形成される光拡散層と、
前記光拡散層の最上層に配置され、入射角がψ２（ψ２＜ψ１）の成分の光を最も強く拡散する第２光拡散層と、から構成され、
前記第１光拡散層、前記第２光拡散層および前記第３光拡散層の拡散中心軸の正射影は、互いに略同一の方向を向いている
表示装置。
【請求項７】
複数の画素が２次元配置された表示パネルと、
映像信号に基づいて各画素を駆動する駆動部と
を備え、
前記表示パネルは、
反射型または半透過型のパネル部と、
前記パネル部上に設けられた光拡散層と
を有し、
前記光拡散層は、前記パネル部で反射され下面側から入射する外光のうち、特定の方位から特定の範囲の角度で入射する成分の光を強く拡散し、それ以外の成分の光を弱く拡散する異方性拡散層が積層されて成り、
前記光拡散層の最下層に配置され、入射角がψ１の成分の光を最も強く拡散する第１光拡散層と、
前記光拡散層の最上層に配置され、入射角がψ２（ψ２＜ψ１）の成分の光を最も強く拡散する第２光拡散層の領域と、入射角がψ３（ψ１＜ψ３）の成分の光を最も強く拡散する第３光拡散層の領域とが形成される光拡散層と、から構成され、
前記第１光拡散層、前記第２光拡散層および前記第３光拡散層の拡散中心軸の正射影は、互いに略同一の方向を向いている
表示装置。
【請求項８】
表示装置と、
映像信号を前記表示装置に出力する制御部と
を備え、
前記表示装置は、
複数の画素が２次元配置された表示パネルと、
前記映像信号に基づいて各画素を駆動する駆動部と
を有し、
前記表示パネルは、
反射型または半透過型のパネル部と、
前記パネル部上に設けられた光拡散層と
を有し、
前記光拡散層は、前記パネル部で反射され下面側から入射する外光のうち、特定の方位から特定の範囲の角度で入射する成分の光を強く拡散し、それ以外の成分の光を弱く拡散する異方性拡散層が積層されて成り、
前記光拡散層の最下層に配置され、入射角がψ１の成分の光を最も強く拡散する第１光拡散層と、
前記光拡散層の最上層に配置され、入射角がψ２（ψ２＜ψ１）の成分の光を最も強く拡散する第２光拡散層と、
前記第１光拡散層と前記第２光拡散層との間の中間層に配置され、入射角がψ３（ψ１＜ψ３）の成分の光を最も強く拡散する第３光拡散層と、から構成され、
前記第１光拡散層、前記第２光拡散層および前記第３光拡散層の拡散中心軸の正射影は、互いに略同一の方向を向いている
電子機器。
【請求項９】
表示装置と、
映像信号を前記表示装置に出力する制御部と
を備え、
前記表示装置は、
複数の画素が２次元配置された表示パネルと、
前記映像信号に基づいて各画素を駆動する駆動部と
を有し、
前記表示パネルは、
反射型または半透過型のパネル部と、
前記パネル部上に設けられた光拡散層と
を有し、
前記光拡散層は、前記パネル部で反射され下面側から入射する外光のうち、特定の方位から特定の範囲の角度で入射する成分の光を強く拡散し、それ以外の成分の光を弱く拡散する異方性拡散層が積層されて成り、
前記光拡散層の最下層に配置され、入射角がψ１の成分の光を最も強く拡散する第１光拡散層の領域と、入射角がψ３（ψ１＜ψ３）の成分の光を最も強く拡散する第３光拡散層の領域とが形成される光拡散層と、
前記光拡散層の最上層に配置され、入射角がψ２（ψ２＜ψ１）の成分の光を最も強く拡散する第２光拡散層と、から構成され、
前記第１光拡散層、前記第２光拡散層および前記第３光拡散層の拡散中心軸の正射影は、互いに略同一の方向を向いている
電子機器。
【請求項１０】
表示装置と、
映像信号を前記表示装置に出力する制御部と
を備え、
前記表示装置は、
複数の画素が２次元配置された表示パネルと、
前記映像信号に基づいて各画素を駆動する駆動部と
を有し、
前記表示パネルは、
反射型または半透過型のパネル部と、
前記パネル部上に設けられた光拡散層と
を有し、
前記光拡散層は、前記パネル部で反射され下面側から入射する外光のうち、特定の方位から特定の範囲の角度で入射する成分の光を強く拡散し、それ以外の成分の光を弱く拡散する異方性拡散層が積層されて成り、
前記光拡散層の最下層に配置され、入射角がψ１の成分の光を最も強く拡散する第１光拡散層と、
前記光拡散層の最上層に配置され、入射角がψ２（ψ２＜ψ１）の成分の光を最も強く拡散する第２光拡散層の領域と、入射角がψ３（ψ１＜ψ３）の成分の光を最も強く拡散する第３光拡散層の領域とが形成される光拡散層と、から構成され、
前記第１光拡散層、前記第２光拡散層および前記第３光拡散層の拡散中心軸の正射影は、互いに略同一の方向を向いている
電子機器。
【発明の詳細な説明】
【技術分野】
【０００１】
本技術は、反射型、または反射部と透過部とを兼ね備えた半透過型の表示パネルならびにそれを備えた表示装置および電子機器に関する。
【背景技術】
【０００２】
近年、携帯電話や電子ペーパーなどのモバイル機器向けの表示装置の需要が高くなっており、反射型の表示装置が注目されている。反射型の表示装置は、外部からの入射光（周辺光）を反射板で反射させて表示を行うものであり、バックライトを必要としない。そのため、バックライトの分だけ消費電力が節約されるので、透過型の表示装置を用いた場合と比べて、モバイル機器の長時間駆動が可能である。また、バックライトが不要であることから、その分だけ軽量化や小型化も可能となる。
【０００３】
反射型の表示装置では、外光を利用して表示を行うために、拡散機能を持った層を表示装置内に設ける必要がある。例えば、特許文献１では、反射電極に凹凸を設けることにより、反射電極に拡散機能を付与することが開示されている。また、特許文献２〜６には、反射電極に凹凸を設ける代わりに、拡散強度に異方性のある異方性拡散フィルムをガラス基板の上面に設けることが開示されている。
【先行技術文献】
【特許文献】
【０００４】
【特許文献１】特許第２７７１３９２号
【特許文献２】特許第３６２９９９１号
【特許文献３】特開平１１−３２６８９５号公報
【特許文献４】特開平１１−７００７号公報
【特許文献５】特開平１１−３２６８８４号公報
【特許文献６】特開平１１−１０９３４８号公報
【発明の概要】
【発明が解決しようとする課題】
【０００５】
しかし、特許文献１に記載の方法では、入射光を全方向に拡散するので、正面方向に反射されてくる光量が少なく、白表示での十分な明るさが得られないという問題があった。一方、特許文献２〜６に記載の方法では、散乱角度範囲が限定的なので、白表示で十分な明るさを得ることが可能である。しかし、特許文献２に記載の方法では、拡散フィルムの拡散範囲が狭く、反射型の表示装置に適した拡散範囲にすることが容易ではないという問題があった。また、特許文献３〜６に記載の方法を用いて実際に試作したものを評価してみると、散乱強度の強弱の境界での強度変化が大きいために、表示画像の見栄えが不自然となることがわかった。
【０００６】
本技術はかかる問題点に鑑みてなされたもので、その目的は、見栄えの自然な画像を表示することの可能な表示パネルならびにそれを備えた表示装置および電子機器を提供することにある。
【課題を解決するための手段】
【０００７】
本技術の表示パネルは、反射型または半透過型のパネル部と、パネル部上に設けられた光拡散層とを備えたものである。光拡散層は、パネル部で反射され下面側から入射する外光のうち、特定の方位から特定の範囲の角度で入射する成分の光を強く拡散し、それ以外の成分の光を弱く拡散する異方性拡散層が積層されて成る。ここで、光拡散層は、光拡散層の最下層に配置され、入射角がψ１の成分の光を最も強く拡散する第１光拡散層と、光拡散層の最上層に配置され、入射角がψ２（ψ２＜ψ１）の成分の光を最も強く拡散する第２光拡散層と、第１光拡散層と第２光拡散層との間の中間層に配置され、入射角がψ３（ψ１＜ψ３）の成分の光を最も強く拡散する第３光拡散層と、から構成され、第１光拡散層、第２光拡散層および第３光拡散層の拡散中心軸の正射影は、互いに略同一の方向を向いている。
【０００８】
本技術の表示装置は、複数の画素が２次元配置された表示パネルと、映像信号に基づいて各画素を駆動する駆動部とを備えたものである。この表示装置に搭載された表示パネルは、上記の表示パネルと同一の構成要素を有している。本技術の電子機器は、表示装置と、映像信号を表示装置に出力する制御部とを備えたものである。この電子機器搭載された表示装置は、上記の表示装置と同一の構成要素を有している。
【０００９】
本技術の表示パネル、表示装置および電子機器では、複数の光拡散層のうち最下層の第１光拡散層が角度ψ１の拡散中心軸を有しているときに、角度ψ１よりも小さな角度ψ２の拡散中心軸を有する第２光拡散層が最上層に設けられている。さらに、角度ψ１よりも大きな角度ψ３の拡散中心軸を有する光拡散層が第１光拡散層と第２光拡散層との間の中間層に設けられている。これにより、反射層で反射され下面側から入射してきた外光に対する拡散範囲を限定的にすることができる一方で、第１光拡散層の拡散範囲よりも広げることができる。さらに、拡散強度の強弱の境界での強度変化を少なくすることができる。
【００１０】
本技術の表示パネル、表示装置および電子機器において、第２光拡散層は、複数の光拡散層のうち最上層の光拡散層となっている。このようにした場合には、複数の光拡散層による拡散によって形成される像のにじみ幅を小さくすることができ、さらに、正面方向の光量を多くすることができる。
【００１１】
また、本技術の表示パネル、表示装置および電子機器において、各光拡散層の拡散中心軸の正射影は、互いに同一の方向を向いている。このようにした場合には、反射層で反射され下面側から入射してきた外光に対する拡散範囲を十分に広くすることができる。つまり、本技術では、各光拡散層の拡散中心軸の正射影が互いに異なる方向を向くように各光拡散層を構成する必要がない。
【発明の効果】
【００１２】
本技術の表示パネル、表示装置および電子機器によれば、パネル部で反射され下面側から入射してきた外光に対する拡散範囲を第１光拡散層の拡散範囲よりも広い範囲で限定することができ、さらに拡散強度の強弱の境界での強度変化を少なくすることができるようにしたので、見栄えの自然な画像を表示することができる。
【００１３】
また、本技術の表示パネル、表示装置および電子機器において、第２光拡散層が複数の光拡散層のうち最上層の光拡散層となっている場合には、画像ボケの少ない自然な画像を表示することができ、さらに、白輝度の高い画像を表示することができる。
【図面の簡単な説明】
【００１４】
【図１】本技術の一実施の形態に係る表示装置の構成の一例を表す断面図である。
【図２】（Ａ）図１の３つの光拡散層のうち最下層の作用の一例を表す概念図である。（Ｂ）図１の３つの光拡散層のうち中間層の作用の一例を表す概念図である。（Ｃ）図１の３つの光拡散層のうち最上層の作用の一例を表す概念図である。
【図３】図１の光拡散層の構成の一例を表す断面図である。
【図４】図１の表示装置の光学的な作用の一例を表す概念図である。
【図５】図１の表示装置の構成の第１変形例を表す断面図である。
【図６】図１の表示装置の構成の第２変形例を表す断面図である。
【図７】図６の２つの光拡散層のうち最下層の散乱光の光強度分布図である。
【図８】図６の２つの光拡散層のうち最下層の構成の一例を表す断面図である。
【図９】図１の表示装置の構成の第３変形例を表す断面図である。
【図１０】図９の２つの光拡散層のうち最上層の散乱光の光強度分布図である。
【図１１】図９の２つの光拡散層のうち最上層の構成の一例を表す断面図である。
【図１２】反射輝度角度特性の計測方法ついて説明するための模式図である。
【図１３】方位角および極角の定義について説明するための模式図である。
【図１４】上下方向にディテクタを走査したときの輝度分布Ｌ（θ）である。
【図１５】図１４の輝度分布Ｌ（θ）をθで微分し、さらに輝度分布Ｌ（θ）で割っ  た値の上下方向の分布である。
【図１６】左右方向にディテクタを走査したときの輝度分布Ｌ（θ）である。
【図１７】図１６の輝度分布Ｌ（θ）をθで微分し、さらに輝度分布Ｌ（θ）で割っ  た値の上下方向の分布である。
【図１８】上下方向にディテクタを走査したときの輝度分布Ｌ（θ）をθで微分し、  さらに輝度分布Ｌ（θ）で割った値の上下方向の分布である。
【図１９】左右方向にディテクタを走査したときの輝度分布Ｌ（θ）をθで微分し、  さらに輝度分布Ｌ（θ）で割った値の上下方向の分布である。
【図２０】被験者Ａ〜Ｅに官能試験を実施した結果である。
【図２１】図２０の官能試験に用いた点数の表である。
【図２２】一適用例に係る電子機器の構成の一例を表す斜視図である。
【発明を実施するための形態】
【００１５】
以下、発明を実施するための形態について、図面を参照して詳細に説明する。なお、説明は以下の順序で行う。
１．実施の形態（表示装置）
３つの光拡散層が設けられている例（図１〜図５）
２．変形例（表示装置）
２つの光拡散層が設けられている例（図６〜図１１）
３．反射輝度角度特性（図１２〜図２１）
４．適用例（電子機器）
上記の表示装置が電子機器に利用されている例（図２２）
【００１６】
＜１．実施の形態＞
[構成]
図１は、本技術の一実施の形態に係る表示装置１の断面構成の一例を表すものである。なお、図１は模式的に表したものであり、実際の寸法、形状と同一とは限らない。表示装置１は、例えば、図１に示したように、複数の画素（図示せず）が２次元配置された表示パネル１０と、映像信号に応じて表示パネル１０の各画素を駆動する駆動部２０とを備えたものである。
【００１７】
表示パネル１０は、反射型、または反射部と透過部とを兼ね備えた半透過型の液晶パネルである。表示パネル１０は、各画素が映像信号に応じて駆動されているときに各画素に入射した外光が反射電極（図示せず）等によって反射され、外部に出射することによって画像を表示するものである。表示パネル１０は、例えば、図１に示したように、パネル部１１と、パネル部１１の上面に設けられた３つの光拡散層１２，１３，１４とを有している。光拡散層１２が、３つの光拡散層１２，１３，１４のうちの最下層となっている。光拡散層１４が、３つの光拡散層１２，１３，１４のうちの最上層となっている。光拡散層１３が、光拡散層１２と光拡散層１４との間に配置されている。光拡散層１２は、例えば、パネル部１１に対して接着剤で貼り合わされている。
【００１８】
なお、図１では、パネル部１１と光拡散層１２との間や、光拡散層１２と光拡散層１３との間、光拡散層１３と光拡散層１４との間に隙間が存在しているが、これらの隙間は存在していなくてもよい。また、これらの隙間に、３つの光拡散層１２，１３，１４の相互作用による得られる効果を阻害しない何らかの光学層が設けられていてもよい。なお、光拡散層１２が本技術の「第１光拡散層」の一具体例に相当し、光拡散層１３が本技術の「第３光拡散層」の一具体例に相当し、光拡散層１４が本技術の「第２光拡散層」の一具体例に相当する。
【００１９】
（パネル部１１）
パネル部１１は、例えば、図示しないが、所定の間隙を介して互いに対向する下側基板および上側基板と、下側基板と上側基板との間に設けられた液晶層とを有している。液晶層は、例えば、ネマティック（Nematic）液晶を含んで構成され、後述するように、駆動部２０からの印加電圧により、液晶層に入射する光を画素ごとに透過または遮断する変調機能を有している。なお、液晶の光透過レベルを変えることにより画素ごとの階調が調整される。下側基板は、例えば、図示しないが、ガラス基板の上面に、複数の画素電極と、配向膜とを有している。上側基板は、例えば、図示しないが、ガラス基板の下面に、カラーフィルタ、遮光部、透明電極および配向膜を有している。遮光部は、例えば、カラーフィルタと同一面に部分的に設けられている。
【００２０】
複数の画素電極は、透明電極と共に液晶層を駆動するものである。各画素電極は、駆動部２０と電気的に接続されている。各画素電極は、駆動部２０によって電圧が印加されると、画素電極および透明電極間の電位差に応じた電界を、画素電極と透明電極の間に発生させ、その電界の大きさ応じて液晶層を駆動するようになっている。複数の画素電極は、さらに、液晶層を介して上側基板側から入射した光を反射する反射層として機能する。各画素電極は、可視光を反射する導電性材料からなり、例えば、Ａｌ−Ｎｄ合金などの金属材料からなる。各画素電極の上面は、例えば、鏡面となっている。このように、各画素電極が反射層として用いられる場合には、各画素電極以外の部材が反射層として用いられる場合と比べて、反射層を上側基板に対して最も近づけることができる。透明電極は、可視光に対して透明な導電性材料からなり、例えば、ＩＴＯ（Indium Tin Oxide；酸化インジウムスズ）からなる。透明電極は、例えば、上側基板内の所定の層内全体に形成された電極であり、全ての画素電極と向き合って配置されている。従って、透明電極は、各画素電極に対して対向する共通電極として機能する。表示パネル１０のうち、画素電極と透明電極とが互いに対向する部分に対応する部分が、画素電極および透明電極間に印加される電圧によって液晶層を部分的に駆動することの可能な最小単位となっている。この最小単位が画素に相当する。
【００２１】
配向膜は、液晶層内の液晶分子を所定の方向に配向させるものであり、液層層と直接に接している。配向膜は、例えば、ポリイミドなどの高分子材料からなり、例えば、塗布したポリイミド等に対してラビング処理を施すことにより形成されたものである。カラーフィルタは、液晶層を透過してきた光を、例えば、赤、緑および青の三原色にそれぞれ色分離するためのカラーフィルタを、画素に対応させて配列したものである。遮光部は、画素間のクロストークを低減するものであり、例えば、可視光を吸収する機能を有している。遮光部は、画素と画素の間に形成されている。
【００２２】
（光拡散層１２，１３，１４）
光拡散層１２，１３，１４は、特定方向から入射した光を強く拡散し、それ以外の方向から入射した光を弱く拡散するものである。光拡散層１２，１３，１４は、パネル部１１で反射され下面側から入射する外光のうち、特定の方位から特定の範囲の角度で入射する成分の光を強く拡散し、それ以外の成分の光を弱く拡散する異方性拡散層である。
【００２３】
図２（Ａ）〜（Ｃ）は、３つの光拡散層１２，１３，１４の光学的な作用の一例を模式的に表したものである。光拡散層１２は、例えば、図２（Ａ）に示したように、光拡散層１２の下面側から入射する外光（入射光Ｌ１）の入射角がψ１のときに入射光Ｌ１の拡散がピークとなる拡散中心軸ＡＸ２を有している。なお、入射光Ｌ１の入射角は、入射光Ｌ１の光軸と光拡散層１２の法線ＡＸ１とのなす角である。また、「入射角がψ１のときに入射光Ｌ１の拡散がピークとなる」とは、図２（Ａ）に示したように、入射光Ｌ１が光拡散層１２によって拡散されて光拡散層１２の上面に出射したときに、光拡散層１２の上面に出射した拡散光Ｌ２の拡散範囲Ｄ１が極大となる入射光Ｌ１の入射角がψ１であることを意味するものである。従って、拡散中心軸ＡＸ２は、角度ψ１で光拡散層１２の法線ＡＸ１と交差する方向に延在する軸を指している。なお、拡散中心軸ＡＸ２の角度ψ１は、例えば、３０度である。
【００２４】
光拡散層１３は、例えば、図２（Ｂ）に示したように、光拡散層１３の下面側から入射する外光（入射光Ｌ３）の入射角がψ３（ψ１＜ψ３＜９０度）のときに入射光Ｌ３の拡散がピークとなる拡散中心軸ＡＸ４を有している。なお、入射光Ｌ３の入射角は、入射光Ｌ３の光軸と光拡散層１３の法線ＡＸ３とのなす角である。また、「入射角がψ３のときに入射光Ｌ３の拡散がピークとなる」とは、図２（Ｂ）に示したように、入射光Ｌ３が光拡散層１３によって拡散されて光拡散層１３の上面に出射したときに、光拡散層１３の上面に出射した拡散光Ｌ４の拡散範囲Ｄ２が極大となる入射光Ｌ３の入射角がψ３であることを意味するものである。従って、拡散中心軸ＡＸ４は、角度ψ３で光拡散層１３の法線ＡＸ３と交差する方向に延在する軸を指している。なお、拡散中心軸ＡＸ４の角度ψ３は、例えば、４５度である。
【００２５】
光拡散層１４は、例えば、図２（Ｃ）に示したように、光拡散層１４の下面側から入射する外光（入射光Ｌ５）の入射角がψ２（０＜ψ２＜ψ１）のときに入射光Ｌ５の拡散がピークとなる拡散中心軸ＡＸ６を有している。なお、入射光Ｌ５の入射角は、入射光Ｌ５の光軸と光拡散層１４の法線ＡＸ５とのなす角である。また、「入射角がψ２のときに入射光Ｌ５の拡散がピークとなる」とは、図２（Ｃ）に示したように、入射光Ｌ５が光拡散層１４によって拡散されて光拡散層１４の上面に出射したときに、光拡散層１４の上面に出射した拡散光Ｌ６の拡散範囲Ｄ３が極大となる入射光Ｌ５の入射角がψ２であることを意味するものである。従って、拡散中心軸ＡＸ６は、角度ψ２で光拡散層１４の法線ＡＸ５と交差する方向に延在する軸を指している。なお、拡散中心軸ＡＸ６の角度ψ２は、例えば、１０度である。従って、３つの光拡散層１２，１３，１４のうち光拡散層１４以外の光拡散層１２，１３の拡散中心軸ＡＸ２，ＡＸ４の角度ψ１，ψ３は、光拡散層１４の拡散中心軸ＡＸ６の角度ψ２よりも大きくなっている。
【００２６】
ここで、外光とは、表示パネル１０に入射する平行光を指しており、さらに、無偏光光を指している。また、「特定の方位」とは、図２（Ａ）〜（Ｃ）に示したように、各光拡散層１２，１３，１４の拡散中心軸ＡＸ２，ＡＸ４，ＡＸ６の正射影Ｉ１，Ｉ２，Ｉ３が延在する方位に対応するものである。なお、図２（Ａ）〜（Ｃ）では、正射影Ｉ１，Ｉ２，Ｉ３が、互いに同一の方向（Ｙ軸方向）を向いている場合が例示されているが、正射影Ｉ１，Ｉ２，Ｉ３は、完全に互いに同一の方向を向いている必要はない。例えば、正射影Ｉ１，Ｉ２，Ｉ３が、製造誤差の範囲内のわずかな角度で互いに交差する方向を向いていてもよい。また、正射影Ｉ１，Ｉ２，Ｉ３が、３つの光拡散層１２，１３，１４の相互作用による得られる効果が阻害されない範囲内の角度で互いに交差する方向を向いていてもよい。
【００２７】
また、「特定の範囲の角度」とは、図２（Ａ）〜（Ｃ）において、Ｙ座標が負となると共にＺ座標が負となる象限の方向のうち限られた範囲の角度を指すものである。「特定の範囲の角度」は、入射光Ｌ１，Ｌ３，Ｌ５の入射角を変位させたときに、例えば、ヘイズが所定の値よりも大きくなる範囲の角度を指している。
【００２８】
光拡散層１２，１３，１４は、例えば、図３（Ａ）または図３（Ｂ）に示したように、屈折率の互いに異なる２種類の領域Ｒ１、Ｒ２を含んで構成されている。なお、図３（Ａ），（Ｂ）は、光拡散層１２，１３，１４の構成の一例を斜視的に表すとともに、Ｙ軸と平行な方向で切断した断面構成の一例も表したものである。光拡散層１２は、例えば、領域Ｒ１、Ｒ２が厚さ方向に延在するとともに所定の方向（具体的には拡散中心軸ＡＸ２の向きと同一またはほぼ同一の方向）に傾斜して形成されたものである。光拡散層１３は、例えば、領域Ｒ１、Ｒ２が厚さ方向に延在するとともに所定の方向（具体的には拡散中心軸ＡＸ４の向きと同一またはほぼ同一の方向）に傾斜して形成されたものである。光拡散層１４は、例えば、領域Ｒ１、Ｒ２が厚さ方向に延在するとともに所定の方向（具体的には拡散中心軸ＡＸ６の向きと同一またはほぼ同一の方向）に傾斜して形成されたものである。
【００２９】
光拡散層１２，１３，１４は、例えば、屈折率の互いに異なる２種類以上の光重合可能なモノマーまたはオリゴマーの混合物である樹脂シートに、紫外線を斜め方向から照射することにより形成されたものである。なお、光拡散層１２，１３，１４は、上記とは異なる構造となっていてもよく、また、上記とは異なる方法で製造されたものであってもよい。
【００３０】
なお、本実施の形態において、パネル部１１の上面に、３つの光拡散層１２，１３，１４の他に、必要に応じて、位相差層や偏光層などが設けられていてもよい。偏光層は、所定の直線偏光成分を吸収し、それ以外の偏光成分を透過する機能を有している。従って、偏光層は、外部から入射してきた光を直線偏光に変換する機能を有している。一方、位相差層は、例えば、ポリビニルアルコール樹脂の一軸延伸フィルムである。そのリタデーションは、可視光領域のうち最も視感度の高い緑色光波長の約１／４に相当する値となっている。従って、位相差層は、偏光層側から入射してきた直線偏光光を円偏光に変換する機能を有しており、１／４波長板として機能する。なお、高帯域にするために、偏光層と位相差層（１／４波長板）との間に、可視光の最も視感度が高い緑色光波長の約１／２に相当するリタデーションを有する位相差層（１／２波長板）がさらに設けられていてもよい。
【００３１】
[作用、効果]
次に、図４を参照しつつ、本実施の形態の表示装置１の作用、効果の一例について説明する。
【００３２】
特定の方位から特定の範囲の角度（具体的にはＹ軸の負の方向の方位から入射角３０度）で入射してきた外光Ｌａは、上記の偏光層によって直線偏光に変換され、さらに上記の位相差層によって円偏光に変換され、パネル部１１に到達する。パネル部１１に到達した外光Ｌａのうち、電圧の印加されていない液晶層に入射した光は、例えば、液晶層で直線偏光に変換されて画素電極１１Ａに達する。これは、あらかじめそうなるように液晶層のリタデーションとツイスト角が設定されているためである。画素電極１１Ａで反射された光（反射光Ｌｂ）は、上記とは逆の経路をたどって、元の円偏光に戻される。円偏光は、上記の位相差層によって元の直線偏光に戻り、上記の偏光層を通過する。従って、この場合には、画素は、明表示となる。また、パネル部１１に到達した外光Ｌａのうち、電圧の印加されている液晶層に入射した光は、円偏光のまま画素電極１１Ａに達し、画素電極１１Ａで反射されて円偏光になる。この光は上記の位相差層によって直線偏光に戻るが、この直線偏光の偏光軸が上記の偏光層の透過軸と直交する。そのため、この直線偏光は上記の偏光層で吸収される。従って、この場合には、画素は暗表示となる。
【００３３】
ところで、外光Ｌａは、光拡散層１２，１３，１４を通過したのち、パネル部１１に到達する。しかし、光拡散層１２，１３，１４の拡散強度には入射角依存性があるので、外光Ｌａは、ほとんど散乱されずに光拡散層１２，１３，１４を透過し、パネル部１１に到達する。一方、反射光Ｌｂは、光拡散層１２，１３，１４を通過したのち、表示パネル１０の外部に射出される。このとき、反射光Ｌｂは、例えば入射角３０度で光拡散層１２の下面に入射するので、光拡散層１２で強く拡散される。光拡散層１２で強く拡散された光のうち、小さな入射角（おおむね１０度）で光拡散層１３の下面に入射した拡散光Ｌｃは、光拡散層１３の「特定の範囲の角度」に入らないので、ほとんど散乱されずに光拡散層１３を透過する。一方、光拡散層１２で強く拡散された光のうち、大きな入射角（おおむね６０度）で光拡散層１３の下面に入射した拡散光Ｌｄは、光拡散層１３で強く拡散される。
【００３４】
光拡散層１３でほとんど散乱されずに光拡散層１３を透過した拡散光Ｌｃは、小さな入射角（おおむね１０度）で光拡散層１３の下面に入射する。すると、拡散光Ｌｃは、光拡散層１４で強く拡散されて、表示パネル１０の外部に射出される。一方、光拡散層１３で強く拡散されて光拡散層１３を透過した拡散光Ｌｅは、大きな入射角（１０度よりも大幅に大きな角度）で光拡散層１３の下面に入射する。すると、拡散光Ｌｅは、光拡散層１４の「特定の範囲の角度」に入らないので、ほとんど散乱されずに光拡散層１４を透過して、表示パネル１０の外部に射出される。
【００３５】
このように、本実施の形態では、パネル部１１で反射され下面側から入射してきた外光に対する拡散範囲を限定的にすることができる一方で、３つの光拡散層１２，１３，１４のうち最下層である光拡散層１２の拡散範囲よりも広げることができる。さらに、拡散強度の強弱の境界での強度変化を少なくすることができる。これにより、見栄えの自然な画像を表示することができる。
【００３６】
また、本実施の形態では、最上層である光拡散層１４の拡散中心軸ＡＸ６の角度ψ２が、残りの２つの光拡散層１２，１３の拡散中心軸ＡＸ２，ＡＸ６の角度ψ１，ψ３よりも小さくなっているので、画像ボケの少ない自然な画像を表示することができる。さらに、白輝度の高い画像を表示することができる。
【００３７】
＜２．変形例＞
［第１変形例］
上記実施の形態では、光拡散層１４が３つの光拡散層１２，１３，１４の中で最上層となっていたが、３つの光拡散層１２，１３，１４の中で最上層となっていなくてもよい。例えば、図５に示したように、光拡散層１４が光拡散層１２と光拡散層１３との間に設けられていてもよい。なお、本変形例においては、光拡散層１３が本技術の「第４光拡散層」の一具体例に相当する。
【００３８】
［第２変形例］
上記実施の形態において、例えば、図６に示したように、２つの光拡散層１２，１３の機能を備えた光拡散層１５が、２つの光拡散層１２，１３の代わりに設けられていてもよい。このとき、光拡散層１５は、光拡散層１５の下面側から入射する外光の入射角がψ１のときに入射光の拡散がピークとなる拡散中心軸ＡＸ２を有している。さらに、光拡散層１５は、光拡散層１５の下面側から入射する外光の入射角がψ３のときに入射光の拡散がピークとなる拡散中心軸ＡＸ４も有している。光拡散層１５は、拡散中心軸ＡＸ２と、拡散中心軸ＡＸ４とを同時に備えていることから、光拡散層１５で拡散された光の光強度分布は、例えば、図７に示したようになる。
【００３９】
光拡散層１５は、例えば、図８に示したように、屈折率の互いに異なる２種類の領域（領域Ｒ１と、領域Ｒ３，Ｒ４）を含んで構成されている。なお、図８は、光拡散層１５の構成の一例を斜視的に表すとともに、Ｙ軸と平行な方向で切断した断面構成の一例も表したものである。光拡散層１５は、例えば、領域Ｒ１、Ｒ３、Ｒ４が厚さ方向に延在するとともに所定の方向に傾斜して形成されたものである。ここで、領域Ｒ１は、領域Ｒ３、Ｒ４を埋め込んだ形状となっている。領域Ｒ３は、拡散中心軸ＡＸ２の向きと同一またはほぼ同一の方向に延在する棒状の形状となっている。領域Ｒ４は、拡散中心軸ＡＸ４の向きと同一またはほぼ同一の方向に延在する棒状の形状となっている。
【００４０】
光拡散層１５は、例えば、屈折率の互いに異なる２種類以上の光重合可能なモノマーまたはオリゴマーの混合物である樹脂シートに、紫外線を斜め方向から照射することにより形成されたものである。なお、光拡散層１５は、上記とは異なる構造となっていてもよく、また、上記とは異なる方法で製造されたものであってもよい。
【００４１】
［第３変形例］
上記実施の形態において、例えば、図９に示したように、２つの光拡散層１３，１４の機能を備えた光拡散層１６が、２つの光拡散層１３，１４の代わりに設けられていてもよい。このとき、光拡散層１６は、光拡散層１６の下面側から入射する外光の入射角がψ３のときに入射光の拡散がピークとなる拡散中心軸ＡＸ４を有している。さらに、光拡散層１６は、光拡散層１６の下面側から入射する外光の入射角がψ２のときに入射光の拡散がピークとなる拡散中心軸ＡＸ６も有している。光拡散層１６は、拡散中心軸ＡＸ４と、拡散中心軸ＡＸ６とを同時に備えていることから、光拡散層１６で拡散された光の光強度分布は、例えば、図１０に示したようになる。
【００４２】
光拡散層１６は、例えば、図１１に示したように、屈折率の互いに異なる２種類の領域（領域Ｒ１と、領域Ｒ４，Ｒ５）を含んで構成されている。なお、図１１は、光拡散層１６の構成の一例を斜視的に表すとともに、Ｙ軸と平行な方向で切断した断面構成の一例も表したものである。光拡散層１６は、例えば、領域Ｒ１、Ｒ４、Ｒ５が厚さ方向に延在するとともに所定の方向に傾斜して形成されたものである。ここで、領域Ｒ１は、領域Ｒ４、Ｒ５を埋め込んだ形状となっている。領域Ｒ４は、拡散中心軸ＡＸ４の向きと同一またはほぼ同一の方向に延在する棒状の形状となっている。領域Ｒ５は、拡散中心軸ＡＸ６の向きと同一またはほぼ同一の方向に延在する棒状の形状となっている。
【００４３】
光拡散層１６は、例えば、屈折率の互いに異なる２種類以上の光重合可能なモノマーまたはオリゴマーの混合物である樹脂シートに、紫外線を斜め方向から照射することにより形成されたものである。なお、光拡散層１６は、上記とは異なる構造となっていてもよく、また、上記とは異なる方法で製造されたものであってもよい。
【００４４】
[第４変形例]
上記実施の形態およびその変形例において、３つの光拡散層１２，１３，１４以外に、これらの３つの光拡散層１２，１３，１４と同様の機能（異方性前方散乱層としての機能）を有する１または複数の光拡散層がさらに設けられていてもよい。また、上記変形例において、２つの光拡散層１４，１５以外に、これらの２つの光拡散層１４，１５と同様の機能（異方性前方散乱層としての機能）を有する１または複数の光拡散層がさらに設けられていてもよい。また、上記変形例において、２つの光拡散層１２，１６以外に、これらの２つの光拡散層１２，１６と同様の機能（異方性前方散乱層としての機能）を有する１または複数の光拡散層がさらに設けられていてもよい。ただし、新たに追加された１または複数の光拡散層の拡散中心軸の角度は、光拡散層１４の拡散中心軸ＡＸ６の角度ψ２よりも大きくなっていることが必要である。なお、そのようにした場合には、３つの光拡散層１２，１３，１４、２つの光拡散層１４，１５、または２つの光拡散層１２，１６の相互作用による得られる効果が、新たに追加された１または複数の光拡散層によって阻害される虞がない。
【００４５】
[第５変形例]
上記実施の形態およびその変形例では、表示パネル１０はカラー表示可能な構成となっている場合が例示されていたが、表示パネル１０はモノクロ表示だけ可能な構成となっていてもよい。例えば、上記実施の形態において、カラーフィルターが省略されていてもよい。
【００４６】
[第６変形例]
上記実施の形態およびその変形例では、各画素電極が反射層として機能している場合が例示されていたが、画素電極以外の部材が反射層として機能してもよい。この場合には、各画素電極は反射層として機能する必要はなく、例えば、ＩＴＯなどの透明な導電性材料によって構成されていてもよい。
【００４７】
[第７変形例]
上記実施の形態およびその変形例では、下側基板の電極が、２次元配置された複数の画素電極により構成されていたが、それ以外の構成となっていてもよい。
【００４８】
＜３．反射輝度角度特性＞
次に、上記実施の形態およびその変形例に係る表示装置１の反射輝度角度特性について説明する。反射輝度角度特性とは、図１２に示したように、方位角φ＝９０度、極角θ＝３０度から光源２００の光Ｌ４を表示装置１の映像表示面に入射させ、方位角φ＝０度、１８０度方向（左右方向）と、方位角φ＝９０度、２７０度方向（上下方向）にディテクタ３００を走査し、それにより得られた輝度分布を指している。
【００４９】
なお、本明細書において、方位角φは、図１３に示したように、ある方向と基準となる方向との間の角の角度であり、図の右側を基準方位とし、反時計回りを正の角度とするものである。また、極角θは、表示装置１の映像表示面の法線Ｌｘに対する角度である。
【００５０】
図１４〜図１７は、表示装置１内の１つの光拡散層における拡散光の拡散分布が異方性を有しているときの結果である。図１４は、上下方向にディテクタ３００を走査したときの輝度分布Ｌ（θ）である。図１５は、図１４の輝度分布Ｌ（θ）を極角θで微分し、さらに輝度分布Ｌ（θ）で割った値の上下方向の分布（ｄＬ（θ）／ｄθ／Ｌ（θ））である。図１６は、左右方向にディテクタ３００を走査したときの輝度分布Ｌ（θ）である。図１７は、図１６の輝度分布Ｌ（θ）を極角θで微分し、さらに輝度分布Ｌ（θ）で割った値の上下方向の分布（ｄＬ（θ）／ｄθ／Ｌ（θ））である。なお、図１４〜図１７の横軸はディテクタ３００の走査角度である。
【００５１】
図１５から、極角θが、グレーの色となっている箇所に対応する角度範囲（−２０≦θ≦０、−８０≦θ≦−４０）となっている場合には、（ｄＬ（θ）／ｄθ／Ｌ（θ））が以下の式を満たしていることがわかる。また、図１７から、極角θが、グレーの色となっている箇所に対応する角度範囲（−８０≦θ≦＋８０）となっている場合にも、（ｄＬ（θ）／ｄθ／Ｌ（θ））が以下の式を満たしていることがわかる。
｜（ｄＬ（θ）／ｄθ／Ｌ（θ））｜≦０．０６
【００５２】
図１８は、上下方向にディテクタ３００を走査したときの輝度分布Ｌ（θ）を極角θで微分し、さらに輝度分布Ｌ（θ）で割った値の上下方向の分布（ｄＬ（θ）／ｄθ／Ｌ（θ））である。図１９は、左右方向にディテクタ３００を走査したときの輝度分布Ｌ（θ）を極角θで微分し、さらに輝度分布Ｌ（θ）で割った値の上下方向の分布（ｄＬ（θ）／ｄθ／Ｌ（θ））である。図１８中のαは、所定の角度範囲（−２０≦θ≦０、−８０≦θ≦−４０）において、（ｄＬ（θ）／ｄθ／Ｌ（θ））が上記の式を満たしている場合の結果である。図１９中のαは、所定の角度範囲（−８０≦θ≦＋８０）において、（ｄＬ（θ）／ｄθ／Ｌ（θ））が上記の式を満たしている場合の結果である。一方、図１８中のβは、所定の角度範囲（−２０≦θ≦０、−８０≦θ≦−４０）において、（ｄＬ（θ）／ｄθ／Ｌ（θ））が上記の式を満たしていない場合の結果である。図１９中のβは、所定の角度範囲（−８０≦θ≦＋８０）において、（ｄＬ（θ）／ｄθ／Ｌ（θ））が上記の式を満たしていない場合の結果である。
【００５３】
図１８、図１９に示したαの特性を有する２つの表示装置と、図１８、図１９に示したβの特性を有する２つの表示装置とにおいて、官能試験を実施した。具体的には、図２０に示したように、（ｄＬ（θ）／ｄθ／Ｌ（θ））が、上下方向および左右方向に関して上述した所定の角度範囲において、｜（ｄＬ（θ）／ｄθ／Ｌ（θ））｜が０．０５、０．０６、０．０７または０，０８となっているときに、映像表示面が紙のように見えるか否か、被験者Ａ〜Ｅに官能試験を実施した。図２０に示したように、被験者Ａ〜Ｅによる官能試験の評価を点数によって行った。図２１に示したように、点数が大きくなるにつれて、映像表示面の質感が紙に近づいていることを示している。４点、５点を合格点とすると、被験者Ａ〜Ｅが採点した点数の平均値から、｜（ｄＬ（θ）／ｄθ／Ｌ（θ））｜が０．０５、０．０６となっていれば、映像表示面が紙のように見えることがわかる。以上のことから、｜（ｄＬ（θ）／ｄθ／Ｌ（θ））｜が上述した所定の角度範囲において、０．０６以下となっている場合には、映像表示面が紙のように見えるといえる。
【００５４】
＜４．適用例＞
次に、上記実施の形態およびその変形例に係る表示装置１の一適用例について説明する。２２は、本適用例に係る電子機器１００の概略構成の一例を表す斜視図である。電子機器１００は、携帯電話機であり、例えば、図２２に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、例えば、表示装置１１３に対して映像信号を出力するようになっている。この制御部は、電子機器１００全体の制御を司る制御部の一部として、またはその制御部とは別に、本体部１１１または表示体部１１２の内部に設けられている。
【００５５】
表示装置１１３は、上記実施の形態およびその変形例に係る表示装置１と同一の構成を備えている。これにより、表示装置１１３において、見栄えの自然な画像を表示することができる。また、表示装置１１３において、光拡散層１４の拡散中心軸ＡＸ６の角度ψ２が光拡散層１２，１３の拡散中心軸ＡＸ２，ＡＸ６の角度ψ１，ψ３よりも小さくなっている表示装置１が用いられている場合には、画像ボケの少ない自然な画像を表示することができる。さらに、白輝度の高い画像を表示することができる。
【００５６】
なお、上記実施の形態およびその変形例に係る表示装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００５７】
また、例えば、本技術は以下のような構成を取ることができる。
（ａ）
反射型または半透過型のパネル部と、
前記パネル部上に設けられた複数の光拡散層と
を備え、
各光拡散層は、前記パネル部で反射され下面側から入射する外光のうち、特定の方位から特定の範囲の角度で入射する成分の光を強く拡散し、それ以外の成分の光を弱く拡散する異方性拡散層であり、
前記複数の光拡散層のうち最下層の第１光拡散層は、前記外光の入射角がψ１のときに前記外光の拡散がピークとなる拡散中心軸を有し、
前記複数の光拡散層のうち前記第１光拡散層とは異なる第２光拡散層は、前記外光の入射角がψ２（ψ２＜ψ１）のときに前記外光の拡散がピークとなる拡散中心軸を有し、
下記の（１）〜（４）のいずれかに記載の光拡散層は、前記外光の入射角がψ３（ψ１＜ψ３）のときに前記外光の拡散がピークとなる拡散中心軸を有する
表示パネル。
（１）前記第１光拡散層
（２）前記第２光拡散層
（３）前記複数の光拡散層において前記第１光拡散層と前記第２光拡散層との間に第３光拡散層がある場合の前記第３光拡散層
（４）前記複数の光拡散層において前記第２光拡散層との関係で前記パネル部とは反対側に第４光拡散層がある場合の前記第４光拡散層
（ｂ）
各光拡散層の拡散中心軸の正射影は、互いに同一の方向を向いている
（ａ）に記載の表示パネル。
（ｃ）
前記第２光拡散層は、前記複数の光拡散層のうち最上層の光拡散層である
（ａ）または（ｂ）に記載の表示パネル。
（ｄ）
前記複数の光拡散層のうち前記第２光拡散層以外の光拡散層の拡散中心軸の角度は、前記第２光拡散層の拡散中心軸の角度ψ２よりも大きくなっている
（ｃ）に記載の表示パネル。
（ｅ）
前記第１光拡散層は、前記パネル部に対して接着剤で貼り合わされている
（ｃ）に記載の表示パネル。
（ｆ）
複数の画素が２次元配置された表示パネルと、
映像信号に基づいて各画素を駆動する駆動部と
を備え、
前記表示パネルは、
反射型または半透過型のパネル部と、
前記パネル部上に設けられた複数の光拡散層と
を有し、
各光拡散層は、前記反射層で反射され下面側から入射する外光のうち、特定の方位から特定の範囲の角度で入射する成分の光を強く拡散し、それ以外の成分の光を弱く拡散する異方性拡散層であり、
前記複数の光拡散層のうち最下層の第１光拡散層は、前記外光の入射角がψ１のときに前記外光の拡散がピークとなる拡散中心軸を有し、
前記複数の光拡散層のうち前記第１光拡散層とは異なる第２光拡散層は、前記外光の入射角がψ２（ψ２＜ψ１）のときに前記外光の拡散がピークとなる拡散中心軸を有し、
下記の（１）〜（４）のいずれかに記載の光拡散層は、前記外光の入射角がψ３（ψ１＜ψ３）のときに前記外光の拡散がピークとなる拡散中心軸を有する
表示装置。
（１）前記第１光拡散層
（２）前記第２光拡散層
（３）前記複数の光拡散層において前記第１光拡散層と前記第２光拡散層との間に第３光拡散層がある場合の前記第３光拡散層
（４）前記複数の光拡散層において前記第２光拡散層との関係で前記パネル部とは反対側に第４光拡散層がある場合の前記第４光拡散層
（ｇ）
表示装置と、
映像信号を前記表示装置に出力する制御部と
を備え、
前記表示装置は、
複数の画素が２次元配置された表示パネルと、
前記映像信号に基づいて各画素を駆動する駆動部と
を有し、
前記表示パネルは、
反射型または半透過型のパネル部と、
前記パネル部上に設けられた複数の光拡散層と
を有し、
各光拡散層は、前記反射層で反射され下面側から入射する外光のうち、特定の方位から特定の範囲の角度で入射する成分の光を強く拡散し、それ以外の成分の光を弱く拡散する異方性拡散層であり、
前記複数の光拡散層のうち最下層の第１光拡散層は、前記外光の入射角がψ１のときに前記外光の拡散がピークとなる拡散中心軸を有し、
前記複数の光拡散層のうち前記第１光拡散層とは異なる第２光拡散層は、前記外光の入射角がψ２（ψ２＜ψ１）のときに前記外光の拡散がピークとなる拡散中心軸を有し、
下記の（１）〜（４）のいずれかに記載の光拡散層は、前記外光の入射角がψ３（ψ１＜ψ３）のときに前記外光の拡散がピークとなる拡散中心軸を有する
電子機器。
（１）前記第１光拡散層
（２）前記第２光拡散層
（３）前記複数の光拡散層において前記第１光拡散層と前記第２光拡散層との間に第３光拡散層がある場合の前記第３光拡散層
（４）前記複数の光拡散層において前記第２光拡散層との関係で前記パネル部とは反対側に第４光拡散層がある場合の前記第４光拡散層
【符号の説明】
【００５８】
１…表示装置、１０…表示パネル、１１…パネル部、１１Ａ…画素電極、１２，１３，１４，１５，１６…光拡散層、２０…駆動部、１００…電子機器、１１１…本体部、１１２…表示体部、１１３…表示装置、１１４…表示画面、１１５…操作ボタン、１１６…送話部、１１７…受話部、ＡＸ１，ＡＸ３，ＡＸ５…法線、ＡＸ２，ＡＸ４，ＡＸ６…拡散中心軸、Ｄ１，Ｄ２，Ｄ３…拡散範囲、Ｉ１，Ｉ２，Ｉ３…正射影、Ｌ１，Ｌ２，Ｌ３…入射光、Ｌａ…外光、Ｌｂ…反射光、Ｌｃ，Ｌｄ，Ｌｅ…拡散光、Ｒ１，Ｒ２，Ｒ３，Ｒ４，Ｒ５…領域、ψ１，ψ２，ψ３…角度。
【図１】
0005804501.tif 000002
【図２】
0005804501.tif 000003
【図３】
0005804501.tif 000004
【図４】
0005804501.tif 000005
【図５】
0005804501.tif 000006
【図６】
0005804501.tif 000007
【図７】
0005804501.tif 000008
【図８】
0005804501.tif 000009
【図９】
0005804501.tif 000010
【図１０】
0005804501.tif 000011
【図１１】
0005804501.tif 000012
【図１２】
0005804501.tif 000013
【図１３】
0005804501.tif 000014
【図１４】
0005804501.tif 000015
【図１５】
0005804501.tif 000016
【図１６】
0005804501.tif 000017
【図１７】
0005804501.tif 000018
【図１８】
0005804501.tif 000019
【図１９】
0005804501.tif 000020
【図２０】
0005804501.tif 000021
【図２１】
0005804501.tif 000022
【図２２】
0005804501.tif 000023